(57)【要約】【課題】  壁面の綺麗な外観を実現することができ、且つ、軽量で取り扱いが容易な壁パネル材を提供する。【解決手段】  壁パネル材１０は、弾性を有する板状の断熱性基材１４と、この基材１４の一面側に設けられた板状の表面部材１８と、この表面部材１８の基材１４側に設けられた補強部材２２とを備える。基材１４と表面部材１８との間に補強部材２２を設け、基材１４と補強部材２２と表面部材１８とをベース部材１６にて一体に固定する。【選択図】          図１
2006037558.tif 000002
【特許請求の範囲】
【請求項１】
弾性を有する板状の断熱性基材と、該基材の一面側に設けられた板状の表面部材と、該表面部材の前記基材側に設けられた補強部材とを備え、
前記基材と前記補強部材と前記表面部材とを一体に結合したことを特徴とする請求項１の壁パネル材。
【請求項２】
前記基材と前記表面部材との間に前記補強部材を設け、前記基材と前記補強部材と前記表面部材とをベース部材にて固定したことを特徴とする請求項１の壁パネル材。
【請求項３】
前記基材は発泡スチロールからなることを特徴とする請求項１又は請求項２の壁パネル材。
【請求項４】
前記補強部材は、合成樹脂製の網からなることを特徴とする請求項１、請求項２又は請求項３の壁パネル材。
【請求項５】
前記表面部材は、セラミックス粒子と合成樹脂とを混合して構成されると共に、前記補強部材とは反対側の面が凹凸形状されていることをを特徴とする請求項１、請求項２、請求項３又は請求項４の壁パネル材。
【発明の詳細な説明】
【技術分野】
【０００１】
本発明は、外観性に優れ、且つ、凹凸面に密着して取り付け可能な壁パネル材に関するものである。
【背景技術】
【０００２】
従来、建築物の外壁は木材やモルタル等にて構成されていたが、建築後数年或いは数十年経過すると、外壁の変色や凹凸などの変形が生じて外観が悪化してしまう。そこで外壁のリフォームが考えられる。該リフォームの方法として、外壁面に塗装を施したり、モルタル吹き付けを施したりして外観の向上を図っていた。しかし、外壁面に塗装やモルタル吹き付けを施したりしても高級感が得られなかった。
【０００３】
そこで、高級感が得られる外観の壁パネル材（タイル貼のサイディングパネル）が提案されている。この壁パネル材は、軽量の基板表面に複数のタイルを所定枚数配列した状態で貼着することにより外観に高級感を出していた（特許文献１参照）。
【０００４】
【特許文献１】特開平１０−８８７７２号公報
【発明の開示】
【発明が解決しようとする課題】
【０００５】
しかしながら、壁パネル材は、高級感を出すため軽量の基板表面に所定枚数配列した状態で複数のタイルを貼着していた。該軽量の基板表面にタイルを貼着した場合、基板は軽量であるがタイルは重く、壁パネル材の取り扱いが困難であった。
【０００６】
また、壁パネル材にタイルを使用しているため、壁パネル材の大きさや形状を変える場合、タイルを欠かなければならない。このため、壁パネル材の加工性が悪いという問題もあった。
【０００７】
また、建築後数年或いは数十年経過した外壁は、変色や凹凸などの変形が生じてしまうため、リフォームを行う場合タイルのような固い壁パネル材では外壁に密着せず端が浮いてしまう場合がある。そこで、従来では、壁パネル材の裏材に、手間を掛けて干渉回避用の切り欠きを形成し、これにより壁パネル材と壁面を隙間なく密着できるようにしていた。このため、壁パネル材をリフォームに用いる場合、壁パネル材がコストアップとなってしまう問題があった。
【０００８】
また、外壁の凹凸になじませて取り付けることができる薄く柔らかい壁パネル材も開発されている。しかし、薄く柔らかい壁パネル材を凹凸の外壁に貼り付けると、今度は凹凸がそのまま壁パネル材の表面に浮き出てしまう。このため、外壁表面の外観が悪化してしまう問題もあった。
【０００９】
本発明は、係る従来技術の課題を解決するために成されたものであり、壁面の綺麗な外観を実現することができ、且つ、軽量で取り扱いが容易な壁パネル材を提供することを目的とする。
【課題を解決するための手段】
【００１０】
即ち、本発明の壁パネル材は、弾性を有する板状の断熱性基材と、該基材の一面側に設けられた板状の表面部材と、該表面部材の基材側に設けられた補強部材とを備え、基材と補強部材と表面部材とを一体に結合したことを特徴とする。
【００１１】
また、請求項２の発明の壁パネル材は、上記に加えて、基材と表面部材との間に補強部材を設け、基材と補強部材と表面部材とをベース部材にて固定したことを特徴とする。
【００１２】
また、請求項３の発明の壁パネル材は、請求項１又は請求項２において、基材は発泡スチロールからなることを特徴とする。
【００１３】
また、請求項４の発明の壁パネル材は、請求項１、請求項２又は請求項３において、補強部材は、合成樹脂製の網からなることを特徴とする。
【００１４】
また、請求項５の発明の壁パネル材は、請求項１、請求項２、請求項３又は請求項４において、表面部材は、セラミックス粒子と合成樹脂とを混合して構成されると共に、補強部材とは反対側の面が凹凸形状されていることをを特徴とする。
【発明の効果】
【００１５】
本発明によれば、弾性を有する板状の断熱性基材と、この基材の一面側に設けられた板状の表面部材と、この表面部材の基材側に設けられた補強部材とを備え、基材と補強部材と表面部材とを一体に結合したので、例えば請求項２の如く、基材と表面部材との間に補強部材を設け、基材と補強部材と表面部材とをベース部材にて固定することにより、壁パネル材を湾曲させることができる。これにより、建築後永年経過して、リフォーム対象建築物の壁面に凹凸がある場合などでも、凹凸に壁パネル材をなじませて取り付けることができる。また、従来の固い壁パネル材のように壁面の凹凸で端が持ち上がったり、壁パネル材が柔らかくそのまま壁パネル材の表面に凹凸が出て外観を悪化させてしまうなどの不都合を防止することができる。従って、壁面の綺麗な外観を実現することができ、且つ、軽量で取り扱いが容易な壁パネル材を提供することができるようになるものである。
【００１６】
また、請求項３の発明によれば、上記において、基材は発泡スチロールからなるので、壁パネル材の重量を、例えば従来の壁パネル材の約半分の重量にすることができる。これにより、壁パネル材の大幅な軽量化を図ることが可能となるので、壁パネル材の取り扱い性を大幅に改善することができるようになる。また、基材は発泡スチロールとしているので、壁パネル材を建築物の外壁に使用すれば、外断熱を行うことができる。これにより、例えば外壁内が結露して湿気で腐ってしまうなどという不都合を未然に防止することができるようになるものである。
【００１７】
また、請求項４の発明によれば、請求項１、請求項２又は請求項３において、補強部材は、合成樹脂製の網からなるので、基材の強度アップを図ることができる。これにより、壁パネル材が反ってしまった場合でも、基材が欠けたり破損したりしてしまうなどという不都合を確実に防止することができる。従って、例えば凹凸の壁面に壁パネル材を取り付けた場合でも、基材が欠けたり破損したりする不都合を防止することが可能となる。また、基材の強度アップを図っているので、容易に持ち運びや取り扱いを行うことができるようになる。
【００１８】
特に、基材を発泡スチロール、補強部材を合成樹脂製にて構成しているので、例えばカッターなどの刃物で容易に切断することができる。これにより、極めて、容易に壁パネル材の加工を行うことができる。この場合、例えば、建て増しなどにより異なる形状の壁パネル材が必要となる場合にも、カッターで切断して異なる形状に合わせることができる。従って、リフォーム用に便利な壁パネル材を提供することができるようになるものである。
【００１９】
また、請求項５の発明によれば、請求項１、請求項２、請求項３又は請求項４において、表面部材は、セラミックス粒子と合成樹脂とを混合して構成されると共に、補強部材とは反対側の面が凹凸形状されているので、壁パネル材を立体的な自然石材調に仕上ることができる。これにより、壁パネル材を極めて自然感があり本物の石材同様の肌触りを実現することができる。従って、壁パネル材に高級感あふれる意匠性を醸し出すことができるので、壁パネル材の実用効果大なるものである。
【００２０】
特に、セラミックス粒子と合成樹脂とを混合して表面部材を形成しているので、壁パネル材の表面を傷付き難くすることが可能となると共に、汚れ難くすることができる。従って、壁パネル材の利便性を更に向上させることができるようになるものである。
【発明を実施するための最良の形態】
【００２１】
本発明は、壁面に貼り付けた壁パネル材の端が凹凸で持ち上がったり、凹凸がそのまま壁パネル材の表面に出て外観を悪化させてしまう不都合を防止し、然も、壁パネル材が重いのを防止することを特徴とする。壁パネル材の外観悪化、及び、壁パネル材が重いという不都合を防止するという目的を、弾性を有する板状の断熱性基材と、板状の表面部材と、網状の補強部材とを一体に結合することにより実現した。
【実施例１】
【００２２】
次に、図面に基づき本発明の実施の形態を詳述する。図１は本発明の一実施例を示す壁パネル材１０の平面図、図２は本発明の壁パネル材１０の模式図、図３は本発明の壁パネル材１０の拡大側面図をそれぞれ示している。
【００２３】
壁パネル材１０は、建築後数年或いは数十年経過した建築物の外壁や内壁表面に固定して使用するもので、図１に示すように一面を立体的な自然石材調（図１では御影石調）に仕上げられている。また壁パネル材１０は、図２に示すように弾性を有する板状の基材１４と、この基材１４の一面側に設けられた板状の表面部材１８と、この表面部材１８の基材１４側に設けられた補強部材２２とから構成されている。該壁パネル材１０は、長さ約３０３ｍｍ、幅約４５５ｍｍの横長略矩形状に形成されると共に、厚さ約１２ｍｍ〜１５ｍｍの板状に形成されている。
【００２４】
基材１４は、断熱性を有する発泡スチロールにて構成されており、長さ約３０３ｍｍ、幅約４５５ｍｍ、厚さ約１２ｍｍの板状に形成されている。該断熱性発泡スチロール（基材１４）は、発泡倍率約３０倍のものが用いられる。
【００２５】
また表面部材１８は、セラミックス粒子と所定硬度の弾性を有する合成樹脂とが混合されて、長さ約３０３ｍｍ、幅約４５５ｍｍ、厚さ約２ｍｍ〜４ｍｍのシート状に形成されている。この表面部材１８の一面側は凹凸形状に形成されている。該凹凸形状は、例えば御影石、大理石、他自然石など、立体的な自然石材調に仕上げられている。
【００２６】
ここで、表面部材１８は、粒径が２０〜２５００μｍのセラミックス粒子と合成樹脂、及び、着色剤などが混合され、所定の温度で焼成されて石の粒子に見立てた骨材（図示せず）が造られる。そして、複数色の骨材とセラミックス粒子と合成樹脂と着色剤などが混合されて、予め用意された立体的な自然石材調の型に入れられて所定の温度で焼成される。これによって、上述のような表面部材１８が造られ、この表面部材１８が基材１４に固定される。
【００２７】
また、補強部材２２は、発泡スチロールにて構成された基材１４が欠けやすいのを防止するためのもので、弾性を有する合成樹脂製の網にて構成されている。該網（補強部材２２）は、ベース部材１６が容易に通過可能なメッシュ寸法３ｍｍ×３ｍｍにて構成されている。ベース部材１６は、表面部材１８同様の着色剤とセラミックス粒子と合成樹脂とが混合された部材（この場合骨材とは別部材）にて構成されている。このベース部材１６は、基材１４に塗布後所定時間で硬化する。また、ベース部材１６は、硬化（合成樹脂の硬化）することにより接着剤の役割を果たす。尚、網（補強部材２２）の糸径は約１ｍｍ〜２ｍｍに形成されている。
【００２８】
次に、壁パネル材１０の作り方を図３を用いて説明する。基材１４の表面全体（この場合６面）にベース部材１６を塗布する。このとき、ベース部材１６は、基材１４が透過して見えない程度の厚さに塗布して、基材１４の全表面に塗膜を作った後、所定時間放置してベース部材１６を硬化させる。次に基材１４の、どちらか一面側（実施例では上側）に補強部材２２を当接させ、その上から再度ベース部材１６を塗布して、基材１４と補強部材２２とを接着固定する。このとき、補強部材２２を合成樹脂製の網にて構成しているので、ベース部材１６は網目を通過して基材１４に接着固定されると共に、基材１４に補強部材２２が接着固定される。尚、最初に基材１４のどちらか一面側に補強部材２２を当接させ、その上からベース部材１６を塗布して、基材１４と補強部材２２をベース部材１６で接着固定するようにしても差し支えない。
【００２９】
次に、補強部材２２上面に再度ベース部材１６を塗布し、その上から表面部材１８を当接させ、所定時間放置して補強部材２２とベース部材１６を硬化させる。このとき、表面部材１８に形成した凹凸面を補強部材２２の反対側の面に位置させて、表面部材１８を補強部材２２上面に接着固定する。これにより、基材１４上に補強部材２２を介して、表面部材１８がベース部材１６にて一体に結合固定され、壁パネル材１０が完成（図１に図示）する。この壁パネル材１０は、基材１４を発泡スチロール、補強部材２２を合成樹脂製、表面部材１８をセラミックス粒子と合成樹脂にて構成しているので、カッターなどの刃物で切断することができると共に、容易に湾曲させられる弾性を有している。
【００３０】
そして、壁パネル材１０の表面部材１８の反対側の面に接着剤（ベース部材１６とは別の接着剤）が塗布され、リフォーム対象建築物の壁面に接着される。このとき、リフォーム対象建築物は、一般的に建築後永年経過している場合が多く、壁面は汚れている場合が多いので、壁面の汚れを綺麗に落としてから、壁面に壁パネル材１０を接着固定する。そして、壁面全体に壁パネル材１０が整列して接着固定されるが壁面に凹凸がある場合でも、壁パネル材１０は弾性を有しているので凹凸で壁パネル材１０の端が持ち上がったり、凹凸がそのまま壁パネル材の表面に出て外観を悪化させてしまうことなく、壁パネル材１０を壁面に密着固定することができる。また、壁面から壁パネル材１０がはみ出してしまった場合でも、カッターなどの刃物で切断して外壁の形状に合わせることができる。
【００３１】
このように壁パネル材１０は、弾性を有する板状の断熱性基材１４と、この基材１４の一面側に設けられた板状の表面部材１８と、この表面部材１８の基材１４側に設けられた補強部材２２とを備えている。そして、基材１４と表面部材１８との間に補強部材２２を設け、基材１４と補強部材２２と表面部材１８とをベース部材１６にて一体に結合固定しているので、壁パネル材１０を湾曲させることができる。
【００３２】
これにより、建築後永年経過して、リフォーム対象建築物の壁面に凹凸がある場合でも、凹凸に壁パネル材１０をなじませて取り付けることができる。また、従来の固い壁パネル材のように壁面の凹凸で端が持ち上がったり、また、壁パネル材が柔らかくそのまま凹凸が表面に出て外観を悪化させてしまうなどの不都合を防止することができる。従って、壁面の綺麗な外観を実現することができ、且つ、軽量で取り扱いが容易な壁パネル材１０を提供することができる。
【００３３】
また、基材１４を発泡スチロールにて構成しているので、壁パネル材１０の重量を、例えば従来の壁パネル材の約半分の重量にすることができる。これにより、壁パネル材１０の大幅な軽量化を図ることが可能となるので、壁パネル材１０の取り扱い性を大幅に改善することができる。また、基材１４を発泡スチロールにて構成しているので、壁パネル材１０を図示しない建築物の外壁に使用すれば、外断熱を行うことができる。これにより、外壁内が結露して湿気で柱などが腐ってしまうなどという不都合を未然に防止することができる。
【００３４】
また、補強部材２２を合成樹脂製の網にて構成しているので、発泡スチロールにて構成した基材１４の強度アップを図ることができる。これにより、壁パネル材１０が反ってしまった場合でも、基材１４が欠けたり破損したりしてしまうなどという不都合を確実に防止することができる。従って、凹凸の壁面に壁パネル材１０を取り付けた場合でも、基材１４が欠けたり破損したりする不都合を防止することができる。また、基材１４の強度アップ及び軽量化を図っているので、容易に持ち運びや取り扱いを行うことができる。
【００３５】
一方、リフォーム対象の建築物は建てた年代が異なったり、後から建て増しを行うなど異なる形状の壁パネル材１０が必要になる。しかし、壁パネル材１０は、基材１４を発泡スチロール、補強部材２２を合成樹脂製、表面部材１８をセラミックス粒子と合成樹脂にて構成しているので、カッターなどの刃物で容易に切断することができると共に、容易に湾曲させられる全体に弾性を有している。これにより、極めて、容易に壁パネル材１０の加工を行うことができる。この場合、壁パネル材１０の大きさに対して異なる形状の外壁であっても、カッターで切断して外壁に合わせることができる。
【００３６】
また、表面部材１８は、セラミックス粒子と合成樹脂とを混合して構成すると共に、補強部材２２とは反対側の面を凹凸に形成しているので、壁パネル材１０を立体的な自然石材調に仕上ることができる。これにより、壁パネル材１０を極めて自然感があり本物の石材同様の肌触りを実現することができる。従って、壁パネル材１０に高級感あふれる意匠性を醸し出すことができるので、極めて壁パネル材の実用効果大なるものである。
【００３７】
特に、セラミックス粒子と合成樹脂とを混合して表面部材１８を構成しているので、壁パネル材１０の表面を傷付き難くすることが可能となると共に、汚れ難くすることができる。従って、壁パネル材１０の利便性を更に向上させることができる。
【実施例２】
【００３８】
次に、図４には本発明の他の実施例の壁パネル材１０を示している。該壁パネル材１０は、前述の実施形態と略同じ構成を有している。以下、異なる部分について説明する。尚、前述の実施の形態と同じ部分にはこれと同じ符号を付し、説明を省略する。壁パネル材１０は、図４に示すように補強部材２２を基材１４内に設けている。即ち、基材１４を作るとき、予め内部に補強部材２２を入れて基材１４を作っている。
【００３９】
そして、前述同様基材１４の表面全体にベース部材１６を塗布し、所定時間放置してベース部材１６を硬化させる。次に、表面部材１８に形成した凹凸面を基材１４の離間側の面に位置させて、表面部材１８と基材１４とをベース部材１６にて接着固定する。これにより、基材１４のどちらか一方の面に表面部材１８が一体に接着固定されて、壁パネル材１０が完成する。これにより前述同様の効果を得ることができる。
【実施例３】
【００４０】
次に、図５には本発明の他の実施例の壁パネル材１０を示している。該壁パネル材１０は、前述の実施形態と略同じ構成を有している。以下、異なる部分について説明する。尚、前述の実施の形態と同じ部分にはこれと同じ符号を付し、説明を省略する。壁パネル材１０は、図５に示すように補強部材２２を表面部材１８の反対側の面に設けている。即ち、基材１４の表面全体にベース部材１６を塗布し、所定時間放置してベース部材１６を硬化させる。次に基材１４の、どちらか一面側（実施例では下側）に補強部材２２を当接させ、その上から再度ベース部材１６を塗布して、基材１４に補強部材２２を接着固定する。
【００４１】
そして、今度は補強部材２２の反対側の面（実施例では上側）に再度ベース部材１６を塗布し、その上から表面部材１８を当接させた後、所定時間放置して補強部材２２とベース部材１６を接着固定する。このとき、前述同様表面部材１８に形成した凹凸面を補強部材２２の反対側の面に位置させて、表面部材１８を基材１４上に接着固定する。これにより、基材１４に接着固定した補強部材２２の反対側の面に、表面部材１８が基材１４に一体に接着固定され、壁パネル材１０が完成する。これにより前述同様の効果を得ることができる。
【００４２】
尚、実施例では、壁パネル材１０の大きさ寸法を記載したが、壁パネル材１０の寸法は実施例で記載した寸法に限られるものでなく、それ以上大きくても、小さくても本発明は有効である。
【００４３】
また、表面部材１８の表面を御影石、大理石、他自然石などで説明したが、表面部材１８の表面に花模様やアニメのキャラクタ、或いは、木目などを立体的に施しても差し支えない。これにより、壁パネル材１０の実用効果を更に向上させることができる。
【００４４】
また、壁パネル材１０を建築物の外壁に用いたが、壁パネル材１０は建築物の外壁に用いるだけでなく、門柱や、柱、或いは、内壁などに用いても同様の効果を得ることができる。
【００４５】
また、本発明は上記実施の形態に限定されるものではなく、その要旨を逸脱しない範囲で種々変更可能であるのは言うまでもない。
【図面の簡単な説明】
【００４６】
【図１】本発明の一実施例を示す壁パネル材の平面図である（実施例１）。
【図２】本発明の壁パネル材の模式図である。
【図３】本発明の壁パネル材の拡大側面図である。
【図４】本発明の一実施例を示す壁パネル材の拡大側面図である（実施例２）。
【図５】本発明の一実施例を示す壁パネル材の拡大側面図である（実施例３）。
【符号の説明】
【００４７】
１０  壁パネル材
１４  基材
１６  ベース部材
１８  表面部材
２２  補強部材
【図２】
2006037558.tif 000003
【図３】
2006037558.tif 000004
【図４】
2006037558.tif 000005
【図５】
2006037558.tif 000006
【図１】
2006037558.tif 000007